(57)【要約】【課題】本発明は、玩具の使用時に、玩具を構成する部材の連結部に衣服の繊維が引っ掛ってしまったり、部材の鋭利な切断面で手を傷つけてしまったりすることを防止することができ、簡単かつ安価に製造することのできる金属製玩具を提供することを課題としている。【解決手段】玩具本体には少なくとも、曲げ加工される一つ以上の係止片が設けられた金属製の第一部材と、前記係止片が係止する係止部が設けられた第二部材とを備える。そして、前記第二部材には、玩具組立て時において前記係止片の露出を防ぐ保護凸部が前記係止部の周縁に設けられている。【選択図】　図１
2004033670.tif 000002
【特許請求の範囲】
【請求項１】
複数の部材を連結して構成される玩具であって、
玩具本体には少なくとも、曲げ加工される一つ以上の係止片が設けられた金属製の第一部材と、前記係止片が係止する係止部が設けられた第二部材とを備え、前記第二部材には、玩具組立て時において前記係止片の露出を防ぐ保護凸部が前記係止部の周縁に設けられていることを特徴とする金属製部材を備えた玩具。
【請求項２】
請求項１において、前記第一部材によって玩具上部を形成し、前記第二部材によって玩具下部を形成し、これら部材を組み立てることにより乗物玩具を構成することを特徴とする金属製部材を備えた玩具。
【請求項３】
複数の部材を連結して構成される玩具であって、
玩具本体には少なくとも、曲げ加工される一つ以上の係止片が開口部の周縁に設けられる金属製の第一部材と、前記第一部材の開口部と略同一形状の開口部を有し、曲げ加工される一つ以上の係止片が該開口部の周縁に設けられる金属製の第二部材と、前記第一部材と第二部材に設けられる係止片が係止する係止部が設けられる第三部材とを備え、玩具組立て時において前記第三部材の両側から前記第一部材と第二部材とを配設し、対向位置に配設される第一部材と第二部材の係止片を玩具本体内向きに曲げ加工して第三部材に設けられる係止部に係止することにより、第一部材及び第二部材の開口部と係止片の露出を防ぐことを特徴とする金属製部材を備えた玩具。
【請求項４】
請求項３において、前記第一部材と第二部材によって燃料タンク部分を縦方向に二分割して形成し、前記第三部材によって尾翼部分を形成し、これら部材を組み立てることによりロケット玩具を構成することを特徴とする金属製部材を備えた玩具。
【発明の詳細な説明】
【０００１】
【発明の属する技術分野】
本発明は、金属製部材を用いて構成される玩具に関する。より詳細には、複数部材から構成される玩具であって、金属製部材に設けられる係止片や鋭利な切断面が本体外部に露出しないように改良された玩具に関する。
【０００２】
【従来の技術】
従来より、ブリキ製の玩具は広く市販されており、近年では再び注目を集めている。
通常、この種の玩具は、金属板を適宜形状にプレスして形成される部材を複数連結して形成されており、そのもっとも簡単な構成は、まず玩具の前部材と後部材とをそれぞれ形成し、この２部材を連結して立体形状にするものである。このような場合、部材間の連結は、図７に示すように、一方の部材に設けられる係止爪を折り曲げて他方の部材を係止するか、又は、図８に示すように、一方の部材の周縁部を連続的に曲げ加工することにより、他方の部材の周縁部を包むようにして連結する手法が一般的に用いられた。
しかしながら、これら従来の構造には、以下に示す点に問題が存在していた。即ち、折り曲げられた係止爪１００や起伏のある周縁部２００がそのまま玩具の外部に露出してしまうため、この部分に衣服の繊維が引っ掛ってしまったり、鋭利な切断面で手を傷つけてしまったりすることがあった。
このような問題を解消するためには、ヤスリがけをして切断面や起伏のある周縁部を滑らかにしたり、連結部を滑らかに曲げ加工する高度な技術を導入したりする必要があり、製品を安価に製造する上での障害となっていた。
【０００３】
【発明が解決しようとする課題】
本発明は、上記従来技術の問題点に鑑み為されたものであり、玩具の使用時に、玩具を構成する部材の連結部に衣服の繊維が引っ掛ってしまったり、部材の鋭利な切断面で手を傷つけてしまったりすることを防止することができ、簡単かつ安価に製造することのできる金属製玩具を提供することを課題としている。
【０００４】
【課題を解決するための手段】
請求項１記載の発明は、
複数の部材を連結して構成される玩具であって、
玩具本体には少なくとも、曲げ加工される一つ以上の係止片が設けられた金属製の第一部材と、前記係止片が係止する係止部が設けられた第二部材とを備え、前記第二部材には、玩具組立て時において前記係止片の露出を防ぐ保護凸部が前記係止部の周縁に設けられていることを特徴とする。
【０００５】
本発明は、金属製の第一部材に設けられる係止片を、第二部材に設けられる係止部に係止して連結される。このとき、第一部材に設けられる係止片は、係止部の周縁に設けられる保護凸部によって保護される。そのため、玩具の使用時において、玩具を構成する部材の連結部に衣服の繊維が引っ掛ってしまったり、部材の鋭利な切断面で手を傷つけてしまったりする問題を改善し、安全で使いやすい金属製玩具を提供可能とすることができる。また、本発明は、構成が簡単であるため、製造時における加工を容易にすることができ、製品を安価に提供することができる。
【０００６】
請求項２記載の発明は、
請求項１において、前記第一部材によって玩具上部を形成し、前記第二部材によって玩具下部を形成し、これら部材を組み立てることにより乗物玩具を構成することを特徴とする。
【０００７】
本発明は、自動車、列車など各種乗り物の玩具である。かかる構成によれば、玩具を置いた際に主に見える部分となる玩具上部を第一部材で構成することにより、第一部材に設けられる係止片を第二部材の下方に隠すことができる。そのため、見栄えのよい玩具を、簡単且つ安価に製造して提供することができる。
【０００８】
請求項３記載の発明は、
複数の部材を連結して構成される玩具であって、
玩具本体には少なくとも、曲げ加工される一つ以上の係止片が開口部の周縁に設けられる金属製の第一部材と、前記第一部材の開口部と略同一形状の開口部を有し、曲げ加工される一つ以上の係止片が該開口部の周縁に設けられる金属製の第二部材と、前記第一部材と第二部材に設けられる係止片が係止する係止部が設けられる第三部材とを備え、玩具組立て時において前記第三部材の両側から前記第一部材と第二部材とを配設し、対向位置に配設される第一部材と第二部材の係止片を玩具本体内向きに曲げ加工して第三部材に設けられる係止部に係止することにより、第一部材及び第二部材の開口部と係止片の露出を防ぐことを特徴とする。
【０００９】
本発明は、曲げ加工される一つ以上の係止片が開口部の周縁に設けられる金属製の第一部材と、前記第一部材の開口部と略同一形状の開口部を有し、曲げ加工される一つ以上の係止片が該開口部の周縁に設けられる金属製の第二部材と、前記第一部材と第二部材に設けられる係止片が係止する係止部が設けられる第三部材とを備える。玩具組立て時において、前記第三部材の両側から前記第一部材と第二部材を取付けることにより、第三部材を挟んだ状態で第一部材と第二部材が対向して配置されるので、双方の部材に設けられる開口部周縁の鋭利な切断面が第三部材によって保護される。そして、対向位置に配設される第一部材及び第二部材の係止片は、玩具本体内向きに曲げ加工して第三部材に設けられる係止部に係止されるので、いずれの部材の係止片も外部に露出することはない。そのため、玩具の使用時において、玩具を構成する部材の連結部に衣服の繊維が引っ掛ってしまったり、部材の鋭利な切断面で手を傷つけてしまったりする問題を改善し、安全で使いやすい金属製玩具を提供可能とすることができる。また、本発明は、構成が簡単であるため、製造時における加工を容易にすることができ、製品を安価に提供することができる。
【００１０】
請求項４記載の発明は、
請求項３において、前記第一部材と第二部材によって燃料タンク部分を縦方向に二分割して形成し、前記第三部材によって尾翼部分を形成し、これら部材を組み立てることによりロケット玩具を構成することを特徴とする。
【００１１】
本発明は、上記構成により、玩具を構成する部材の連結部に衣服の繊維が引っ掛ってしまったり、玩具を構成する部材の鋭利な切断面で手を傷つけてしまったりすることのないロケット玩具を、簡単且つ安価に製造して提供することができる。
【００１２】
【発明の実施の形態】
本発明は、複数の部材を連結して構成される玩具である。
玩具本体には少なくとも、曲げ加工される一つ以上の係止片が設けられた金属製の第一部材と、前記係止片が係止する係止部が設けられた第二部材とを備え、前記第二部材には、玩具組立て時において前記係止片の露出を防ぐ保護凸部が前記係止部の周縁に設けられている。
そして、玩具組立て時には、前記第一部材に設けられる係止片を、前記第二部材に設けられる係止部に係止して連結される。このとき、第一部材に設けられる係止片は、係止部の周縁に設けられる保護凸部によって保護される。
本発明は、このように構成され、係止部の周縁に設けられる保護凸部によって係止片を保護することにより、玩具の使用時において、部材の連結部に衣服の繊維が引っ掛ってしまったり、部材の鋭利な切断面で手を傷つけてしまったりする問題を改善し、安全で使いやすい金属製玩具を提供可能とするものである。また、本発明は、上記のように構成が簡単であり、製造時における加工を容易とし、製品を安価に提供可能とするものである。
【００１３】
【実施例】
以下、図面に基づいて本発明に係る実施例を詳細に説明する。
はじめに、図１乃至図３を参照して第一実施例を説明する。
図１は、本発明に係る第一実施例の構成を示している。
図２は、係止片１１と孔１２による連結構造を説明する図である。図２（Ａ）〜２（Ｃ）は、下部材１Ｂの孔１２が設けられる部分の拡大図であり、部材を下方から見た状態を示している。
図３は、第一実施例の組立て後の外観を示している。
本体１は、上部材（第一部材）１Ａと下部材（第二部材）１Ｂとから成る。上部材１Ａは、絵柄が設けられた金属板をプレス加工して形成されており、下部材１Ｂは樹脂成型した後、塗料により着色して形成されている。下部材１Ｂに設けられる孔１２の近傍には、尾根状の保護凸部１３が設けられている。
そして、組立て時には、図１に示すように、上部材１Ａを下部材１Ｂの上部から被せて、上部材１Ａに設けられた係止片１１を下部材１Ｂの孔１２に挿通し、図２（Ａ）〜図２（Ｃ）に示すように、下部材１Ｂの下部から突出した係止片１１を曲げ加工して上部材１Ａを下部材１Ｂに連結している。このとき、係止片１１は、保護凸部１３により保護される。このようにして組み立てることにより、図３に示す状態となる。
【００１４】
つぎに、図４乃至図６を参照して第二実施例を説明する。
図４は、本発明に係る第二実施例の構成を示している。
本図では、下部材（第二部材）２Ｂと中間部材（第三部材）２Ｃはすでに連結された状態にある。
図５は、本実施例における第一部材と第二部材の連結構造を説明する図である。
図５（Ａ）は組立て前の状態を、図５（Ｂ）は組立て後の状態を、それぞれ側面図として示している。
図６は、第二実施例の組立て後の外観を示している。
【００１５】
本体２は、ロケット玩具であり、上部材（第一部材）２Ａと、下部材（第二部材）２Ｂと、中間部材（第三部材）２Ｃの三部材から成る。上部材２Ａと下部材２Ｂは、絵柄が設けられた金属板をプレス加工して形成されており、中間部材２Ｃは樹脂成型して形成されている。上部材２Ａと下部材２Ｂには、それぞれ複数の係止片２１が設けられており、中間部材２Ｃには、組立て時に上部材２Ａと下部材２Ｂに設けられた係止片２１が係止する複数の係止部２２が設けられている。
そして、各部材は、図５に示すように上部材２Ａと下部材２Ｂを中間部材２Ｃの両側から被せ、上部材２Ａと下部材２Ｂに設けられた係止片１１を本体内側へ折り曲げて中間部材２Ｃの係止部２２を係止することにより連結されている。
【００１６】
本発明は以上説明したように構成されるが、前記第一及び第二実施例に限定されるものではなく、次のように応用発展させることが可能である。
即ち、上記実施例においては、車やロケット玩具を構成した場合を説明したが、これ以外にも例えば、船やロボットの玩具を構成してもかまわない。
【発明の効果】
本発明は、以上説明したような形態で実施され、以下のような効果を奏する。
【００１７】
本発明は、金属製の第一部材に設けられる係止片を、第二部材に設けられる係止部に係止して連結される。このとき、第一部材に設けられる係止片は、係止部の周縁に設けられる保護凸部によって保護される。そのため、玩具の使用時において、玩具を構成する部材の連結部に衣服の繊維が引っ掛ってしまったり、部材の鋭利な切断面で手を傷つけてしまったりする問題を改善し、安全で使いやすい金属製玩具を提供可能とすることができる。また、本発明は、構成が簡単であるため、製造時における加工を容易にすることができ、製品を安価に提供することができる。
【００１８】
また本発明は、自動車、列車など各種乗り物の玩具である。かかる構成によれば、玩具を置いた際に主に見える部分となる玩具上部を第一部材で構成することにより、第一部材に設けられる係止片を第二部材の下方に隠すことができる。そのため、見栄えのよい玩具を、簡単且つ安価に製造して提供することができる。
【００１９】
また本発明は、曲げ加工される一つ以上の係止片が開口部の周縁に設けられる金属製の第一部材と、前記第一部材の開口部と略同一形状の開口部を有し、曲げ加工される一つ以上の係止片が該開口部の周縁に設けられる金属製の第二部材と、前記第一部材と第二部材に設けられる係止片が係止する係止部が設けられる第三部材とを備える。玩具組立て時において、前記第三部材の両側から前記第一部材と第二部材を取付けることにより、第三部材を挟んだ状態で第一部材と第二部材が対向して配置されるので、双方の部材に設けられる開口部周縁の鋭利な切断面が第三部材によって保護される。そして、対向位置に配設される第一部材及び第二部材の係止片は、玩具本体内向きに曲げ加工して第三部材に設けられる係止部に係止されるので、いずれの部材の係止片も外部に露出することはない。そのため、玩具の使用時において、玩具を構成する部材の連結部に衣服の繊維が引っ掛ってしまったり、部材の鋭利な切断面で手を傷つけてしまったりする問題を改善し、安全で使いやすい金属製玩具を提供可能とすることができる。また、本発明は、構成が簡単であるため、製造時における加工を容易にすることができ、製品を安価に提供することができる。
【００２０】
また本発明は、玩具を構成する部材の連結部に衣服の繊維が引っ掛ってしまったり、玩具を構成する部材の鋭利な切断面で手を傷つけてしまったりすることのないロケット玩具を、簡単且つ安価に製造して提供することができる。
【図面の簡単な説明】
【図１】本発明に係る第一実施例の構成を示す図である。
【図２】係止片１１と孔１２による連結構造を説明する図である。図２（Ａ）〜図２（Ｃ）は、下部材１Ｂの孔１２が設けられる部分の拡大図であり、下方から見た状態を示している。
【図３】第一実施例に係る玩具の組立て後の外観を示す斜視図である。
【図４】本発明に係る第二実施例の構成を示す図である。
【図５】第二実施例における第一部材と第二部材の連結構造を説明する図である。
【図６】第二実施例に係る玩具の組立て後の外観を示す斜視図である。
【図７】従来の玩具における部材の連結構造を示す図である。
【図８】従来の玩具における部材の連結構造を示す図である。
【符号の説明】
１　　本体
１Ａ　上部材（第一部材）
１Ｂ　下部材（第二部材）
１１　係止片
１２　孔
１３　保護凸部
２　　本体
２Ａ　上部材（第一部材）
２Ｂ　下部材（第二部材）
２Ｃ　中間部材（第三部材）
２１　係止片
２２　係止部
【図１】
2004033670.tif 000003
【図２】
2004033670.tif 000004
【図３】
2004033670.tif 000005
【図４】
2004033670.tif 000006
【図５】
2004033670.tif 000007
【図６】
2004033670.tif 000008
【図７】
2004033670.tif 000009
【図８】
2004033670.tif 000010